(57)【特許請求の範囲】
【請求項１】
遊技球が入球することにより入賞となる入賞口が上面に形成された球受け器が遊技面から前方に向けて突設されると共に、該入賞口を挟んで幅方向一対の可動片が設けられ、該各可動片は、入賞口を挟んで対向した位置に一対の回転中心が設けられ、互いに近接する方向に回転した通常姿勢と、互いに離間する方向に回転して遊技球の入賞口への入球を誘導するように幅方向に広がった誘導姿勢との間で姿勢変更可能に構成されてなる弾球遊技機の可変入賞装置であって、前記各可動片は、通常姿勢に姿勢設定された状態で先端部が前記回転中心より下位に位置するように回転範囲が設定され、さらに、前記入賞口の上方位置に、遊技球を通過させる通過孔を備えると共に、前記各可動片の回転に連動する側方入球規制部材が設けられ、該側方入球規制部材は、前記各可動片が通常姿勢に設定されることにより、前記通過孔を通過しない側方からの前記入賞口への入球を規制すべく該入賞口から上方へ向けて離間する一方、前記各可動片が誘導姿勢に姿勢設定されることにより前記球受け器に当接して通過孔が入賞口に連通するよう設けられていることを特徴とする弾球遊技機の可変入賞装置。
【請求項２】
前記可動片は、通常姿勢に姿勢設定されることにより正面視で球受け器を覆うと共に、誘導姿勢に姿勢設定されることにより、球受け器が現出した状態と、側方入球規制部材が球受け器に当接する状態とを遊技者が目視できるように形状設定されていることを特徴とする請求項１記載の弾球遊技機の可変入賞装置。
【請求項３】
前記可動片は、遊技球を入賞口に誘導する誘導部として、可動片が誘導姿勢に姿勢設定された状態で上に凸となる曲面を有した正面視略扇形状であることを特徴とする請求項１または２記載の弾球遊技機の可変入賞装置。
【請求項４】
前方に向けて延出される一方の端部側の直線状部及び後方に向けて延出される他方の端部側の直線状部が平行するよう折り曲げて形成された一対の被操作ロッドと、進退可能な磁性体ロッドが設けられたソレノイドと、該磁性体ロッドの進退それぞれにおいて各被操作ロッドの他方の直線状部が互いに反対方向に回転するよう、磁性体ロッド及び各被操作ロッドの他方の端部に連結されるリンク部材とを備え、各被操作ロッドの一方の端部を前記可動片の背面に固定すると共に、各被操作ロッドの他方の直線状部に、前記側方入球規制部材の両側に架設された架設片を載置し、磁性体ロッドの突出時、各被操作ロッドの他方の直線状部を一方の直線状部よりも上方に位置させて、前記可動片及び前記側方入球規制部材を通常姿勢に姿勢設定する一方、磁性体ロッドの後退時、各被操作ロッドの他方の直線状部を一方の直線状部よりも下方に位置させて、前記可動片及び前記側方入球規制部材を誘導姿勢に姿勢設定することを特徴とする請求項１乃至３のいずれかに記載の弾球遊技機の可変入賞装置。
【発明の詳細な説明】
【０００１】
【発明の属する技術分野】
本発明は、入賞口を挟んで設けられた幅方向一対の可動片が、通常姿勢と、遊技球を入賞口へ誘導する幅方向に広がった誘導姿勢との間で姿勢変更可能とされた弾球遊技機の可変入賞装置に関するものである。
【０００２】
【従来の技術】
従来、弾球遊技機の遊技面に配設される可変入賞装置（いわゆる電動チューリップ）が知られている。この可変入賞装置は、入賞口を挟んで遊技面から突設された一対の支持軸回りにそれぞれ回転可能に軸支された一対の可動片を備えて構成されている。これらの可動片は、離間距離が入賞口の幅寸法と同一状態で上方に突出した通常姿勢と、支持軸回りに互いに反対方向に向けて鋭角分だけ回転することによって扇形状に開き、遊技球を受けて入賞口に誘導する誘導姿勢との間で姿勢変更可能になっている。
【０００３】
かかる一対の可動片は、所定のリンク構造を介して遊技面の背面側に設けられたソレノイドと連結され、普段は付勢手段の付勢力によって通常姿勢に姿勢設定されているが、電流が供給されることによるソレノイドの励磁により付勢手段の付勢力に抗して支持軸回りに互いに離間方向に向けて回転し誘導姿勢に姿勢変更されるようになっている。
【０００４】
【発明が解決しようとする課題】
ところで、従来の上記のような可変入賞装置にあっては、一対の可動片が上方に向けて立設された通常姿勢と、支持軸回りに回転して扇状に開いた誘導姿勢との間で姿勢変更されるだけであるため、実用的には定められた機能を発揮し得るが、各可動片の動きが単純で面白味に欠けることから、パチンコ遊技の雰囲気を盛り上げるような新しいタイプの可変入賞装置の出現が嘱望されていた。
【０００５】
本発明は、上記のような状況に鑑みなされたものであり、可動片が特異で個性的な動きを行うことにより、遊技の雰囲気を盛り上げることができる弾球遊技機の可変入賞装置を提供することを目的としている。
【０００６】
【課題を解決するための手段】
請求項１記載の発明は、遊技球が入球することにより入賞となる入賞口が上面に形成された球受け器が遊技面から前方に向けて突設されると共に、該入賞口を挟んで幅方向一対の可動片が設けられ、該各可動片は、入賞口を挟んで対向した位置に一対の回転中心が設けられ、互いに近接する方向に回転した通常姿勢と、互いに離間する方向に回転して遊技球の入賞口への入球を誘導するように幅方向に広がった誘導姿勢との間で姿勢変更可能に構成されてなる弾球遊技機の可変入賞装置であって、前記各可動片は、通常姿勢に姿勢設定された状態で先端部が前記回転中心より下位に位置するように回転範囲が設定され、さらに、前記入賞口の上方位置に、遊技球を通過させる通過孔を備えると共に、前記各可動片の回転に連動する側方入球規制部材が設けられ、該側方入球規制部材は、前記各可動片が通常姿勢に設定されることにより、前記通過孔を通過しない側方からの前記入賞口への入球を規制すべく該入賞口から上方へ向けて離間する一方、前記各可動片が誘導姿勢に姿勢設定されることにより前記球受け器に当接して通過孔が入賞口に連通するよう設けられていることを特徴とするものである。
【０００７】
この発明によれば、入賞口を挟んで一対で設けられた可動片は、通常姿勢に姿勢設定された状態で回転中心から下方に向けて延びた状態になる一方、誘導姿勢に姿勢設定された状態で遊技球を受け得るように支持軸から斜め上方に向けて傾斜した逆八の字状になるため、姿勢変更時の従来とは異なる特異な動作によって視覚的な面白味が付加され、遊技面が見飽きない興味をそそるものになる。
【０００８】
また、可動片は、その形状に種々の工夫が凝らされることにより、可動範囲が広いこととも相俟って遊技球との干渉で当該遊技球を予想もしない方向へ向けてはじき返すことが起るなど、遊技球の運動方向の意外性を引き出すことが可能になり、遊技が興趣に富んだものになる。
【０００９】
請求項２記載の発明は、請求項１記載の発明において、前記可動片は、通常姿勢に姿勢設定されることにより正面視で球受け器を覆うと共に、誘導姿勢に姿勢設定されることにより、球受け器が現出した状態と、側方入球規制部材が球受け器に当接する状態とを遊技者が目視できるように形状設定されていることを特徴とするものである。
【００１０】
この発明によれば、各可動片が通常姿勢に姿勢設定されているときには、入賞口が一対の可動片によって覆われた状態になる一方、各可動片が誘導姿勢に姿勢設定されたときには、一対の可動片が互いに逆方向に回転し天道虫などの甲虫が鞘翅を広げたような状態になって入賞口が露出されるなど、可動片の派手な動きで外観が大幅に変化するため、かかる視覚的な変化が遊技者に強烈な印象を与え、これによって遊技者を楽しませることができるとともに、飽きさせないようにすることができる。
【００１１】
請求項３記載の発明は、請求項１または２記載の発明において、前記可動片は、遊技球を入賞口に誘導する誘導部として、可動片が誘導姿勢に姿勢設定された状態で上に凸となる曲面を有した正面視略扇形状であることを特徴とするものである。
【００１２】
この発明によれば、可動片が誘導姿勢に姿勢設定された状態でその誘導部の頂部より入賞口側に捕捉された遊技球は、入賞口へ向けて誘導され、これによって入賞口への入球確率を大きくするという可変入賞装置本来の機能を果たすことができる一方、誘導部の頂部より入賞口の反対側に捕捉された遊技球は、入賞口に到達することなく遊技面に戻されることになり、従来見られない遊技球の動きで遊技が興趣に富んだものになる。
【００１３】
請求項４記載の発明は、請求項１乃至３のいずれか１項に記載の発明において、前方に向けて延出される一方の端部側の直線状部及び後方に向けて延出される他方の端部側の直線状部が平行するよう折り曲げて形成された一対の被操作ロッドと、進退可能な磁性体ロッドが設けられたソレノイドと、該磁性体ロッドの進退それぞれにおいて各被操作ロッドの他方の直線状部が互いに反対方向に回転するよう、磁性体ロッド及び各被操作ロッドの他方の端部に連結されるリンク部材とを備え、各被操作ロッドの一方の端部を前記可動片の背面に固定すると共に、各被操作ロッドの他方の直線状部に、前記側方入球規制部材の両側に架設された架設片を載置し、磁性体ロッドの突出時、各被操作ロッドの他方の直線状部を一方の直線状部よりも上方に位置させて、前記可動片及び前記側方入球規制部材を通常姿勢に姿勢設定する一方、磁性体ロッドの後退時、各被操作ロッドの他方の直線状部を一方の直線状部よりも下方に位置させて、前記可動片及び前記側方入球規制部材を誘導姿勢に姿勢設定することを特徴とするものである。
【００１６】
この発明によれば、可動片が通常姿勢に姿勢設定されることにより、側方入球規制部材は入賞口から上方に向けて移動し、側方からの遊技球の入賞口への入球が規制される一方、可動片が誘導姿勢に設定された状態では、側方入球規制部材が下降して入賞口に接近あるいは当接するため、可動片に補足された遊技球を、側方入球規制部材が邪魔にならない状態で入賞口へ導くことができ、可変入賞装置の機能を確実に確保することができる。
【００１７】
【発明の実施の形態】
図１は、本発明に係る可変入賞装置の第１実施形態を示す分解斜視図であり、図２はその組立て斜視図であって、（イ）は可動片が通常姿勢に姿勢設定された状態、（ロ）は可動片が誘導姿勢に姿勢設定された状態をそれぞれ示している。また、図３は、図２の（イ）に示す可変入賞装置の平面図であり、図４は同正面図である。
【００１８】
これらの図に示すように、第１実施形態の可変入賞装置１０は、ベース部材２０と、このベース部材２０表面側に装着される側方入球規制部材３０と、同表面側に装着される可動片４０と、ベース部材２０の背面側に装着されるソレノイド部材５０と、同背面側であってソレノイド部材５０とベース部材２０との間に介設されるリンク部材６０とを備えた基本構成を有している。
【００１９】
前記ベース部材２０は、他の部材を装着するための基礎部品であって、弾球遊技機の遊技面に取り付けられるものであり、正面視で略三角形状を呈したベース板２１と、このベース板２１の表面側における幅方向中央部の上部位置に形成された、側方入球規制部材３０を装着する規制部材装着部２２と、この規制部材装着部２２の直下に突設された球受け器２３と、ベース板２１の背面側から後方に向かって突設された幅方向一対のソレノイド支持壁体２４とを備えている。
【００２０】
前記規制部材装着部２２は、側方入球規制部材３０を昇降可能に装着するためのものであり、ベース板２１の表面側が矩形状で凹没されることによって形成した矩形凹部２２ａを備えて形成されている。この矩形凹部２２ａの奥部には仕切板２２ｂが設けられ、この仕切板２２ｂの中央部に上下方向に延びる中央部ガイド孔２２ｃが穿設されているとともに、同両側部に左右一対の側部ガイド孔２２ｄが穿設されている。中央部ガイド孔２２ｃの孔幅寸法は、後述する連結ネジ３３の基端部が摺接状態で嵌挿され得る寸法に設定されている。これらのガイド孔２２ｃ，２２ｄは、側方入球規制部材３０の上下動を案内するためのものである。
【００２１】
前記球受け器２３は、側方入球規制部材３０を介して遊技球を受球するためのものであり、ベース板２１から前方に向けて突設されて正面視で椀状に形成されている。かかる球受け器２３は、上面に形成された入賞口２３ａ有しているとともに、入賞口２３ａを通って球受け器２３へ入球した遊技球をベース板２１に穿設された通過孔２１ａを介して背面側に排出させるようになっている。なお、入賞口２３ａは、遊技面の適所に設けられた図示しない図柄変動表示部における図柄の変動を開始させるための始動口としての役割をも果たすものである。
【００２２】
ベース板２１の背面側には、通過孔２１ａと連通したベンド部２５（図５）が設けられ、球受け器２３に入った遊技球は、通過孔２１ａを通過した後このベンド部２５を通って下面開口から遊技板の背面側に設けられた図略の遊技球回収装置へ回収されるようになっている。ベンド部２５の上面には、球詰りを解消するための詰り解消孔２５ａが穿設され、遊技球がベンド部２５内で詰まったときにはこの詰り解消孔２５ａから棒を差し込んで詰りを解消させるようにしている。
【００２３】
前記各ソレノイド支持壁体２４は、円柱部２４ａと、この円柱部２４ａから下方に向けて延設された裾部２４ｂとからなっている。円柱部２４ａの端面にはネジ孔２４ｃが設けられているとともに、裾部２４ｂの端面には後方に向かって突設された爪片２４ｄが設けられている。これらのネジ孔２４ｃおよび爪片２４ｄは、ソレノイド部材５０をベース部材２０に装着するためのものである。また、裾部２４ｂの上部後方にはリンク部材６０を装着するための装着孔２４ｅが穿設されている。
【００２４】
前記側方入球規制部材３０は、平面視で球受け器２３と同一の円弧状を呈した規制片本体３１と、この規制片本体３１の各端部間に架設される架設片３２と、この架設片３２を規制片本体３１に固定するための連結ネジ３３とを備えて構成されている。
【００２５】
前記規制片本体３１は、長尺の角材の中央部が円弧状に折り曲げられた状態で形成され、その対向面間に架橋された架橋片３４を有しているとともに、円弧部分と架橋片３４とにより囲まれた空間に遊技球を通過させるための通過孔３１ａが形成されている。かかる規制片本体３１は、幅寸法がベース板２１の矩形凹部２２ａの幅寸法より僅かに小さく寸法設定され、架橋片３４から後方に向けて突出した互いに平行な一対の突出部３１ｂがベース板２１の対応した側部ガイド孔２２ｄにそれぞれ嵌挿されるようになされている。
【００２６】
前記架設片３２は、各側部ガイド孔２２ｄに嵌挿された規制片本体３１の一対の突出部３１ｂ間に架設されるものであり、長さ寸法が突出部３１ｂ間の外寸法と同一に設定され、中央部に連結ネジ３３を挿通するための挿通孔３２ａが穿設されている一方、前記規制片本体３１の架橋片３４には、前記挿通孔３２ａと対向する位置に連結ネジ３３を螺着するためのネジ孔３４ａが螺設されている。
【００２７】
そして、各突出部３１ｂが一対の側部ガイド孔２２ｄに嵌挿された状態で当該各突出部３１ｂの端面間に架設片３２を差し渡し、この状態で連結ネジ３３を架設片３２の挿通孔３２ａおよびベース板２１の中央部ガイド孔２２ｃに挿通したのち連結ネジ３３を架橋片３４のネジ孔３４ａに螺着・締結することによって側方入球規制部材３０が各ガイド孔２２ｃ，２２ｄに案内されつつ昇降し得る状態でベース部材２０に装着されることになる。
【００２８】
このような側方入球規制部材３０の規制片本体３１には、架橋片３４より若干後方寄りの位置の外面側に互いに反対方向に向けて突設された戻止め突起３１ｃが突設されている。そして、規制片本体３１の突出部３１ｂがベース板２１の各側部ガイド孔２２ｄにそれぞれ嵌挿された状態でこれらの戻止め突起３１ｃがベース板２１の背面に当止することにより仕切板２２ｂが架橋片３４と各戻止め突起３１ｃとに挟持された状態になり、これによって側方入球規制部材３０の前後動が阻止されるようになっている。
【００２９】
そして、可変入賞装置１０は、かかる側方入球規制部材３０の存在によって、従来の可変入賞装置と同一の機能を確実に果たすことが可能になる。
【００３０】
前記可動片４０は、一対で設けられ、入賞口２３ａに影響を与えない通常姿勢と、遊技球の入賞口２３ａへの入球を誘導する幅方向に広がった誘導姿勢との間で姿勢変更するものであり、本実施形態においては、正面視で甲虫目に属する昆虫（特に天道虫）の鞘翅に似せて形状設定されている。
【００３１】
かかる可動片４０は、前記鞘翅に似せた扇形状の前面板４１と、この前面板４１の背面側から後方に向けて延設された円弧板（誘導板）４２と、この円弧板４２から後方に向けて突設される被操作ロッド（回転中心）４３とを備えている。各前面板４１は同一寸法で且つそれぞれの直線縁部の端面同士を対向させた状態で、図２の（イ）および図３に示すように、球受け器２３を覆い隠し得る大きさになるように面積設定されている。かかる前面板４１の中心角は、本実施形態においては、略１４０°に設定されている。
【００３２】
前記円弧板４２は、前面板４１の円弧縁部から円弧状を呈した状態で後方に向かって延設されている。かかる円弧板４２は、延設量が球受け器２３のベース板２１からの突出量より若干長めに寸法設定され、これによって一対の円弧板４２で、図２の（イ）および図３に示すように、球受け器２３を覆い得るようになっている。かかる円弧板４２の上縁部には当該円弧板４２と一体に円柱体４２ｂが形成されている。この円柱体４２ｂは、その後端面から同心で穿孔された装着孔４２ｃを有し、この装着孔４２ｃに被操作ロッド４３が装着される。
【００３３】
前記被操作ロッド４３は、針金を１段の階段状に折り曲げることによって形成され、一方の端部を、ベース板２１の規制部材装着部２２の左右外方位置にそれぞれ穿孔された嵌挿孔２１ｂを介してベース板２１の背面側から前記装着孔４２ｃに圧入することによって可動片４０に固定されるようになっている。
【００３４】
かかる被操作ロッド４３の他方の端部によって被操作部４３ａが形成されている。そして、この被操作部４３ａがリンク部材６０によって操作されることにより、可動片４０は、各前面板４１が球受け器２３を覆い隠した図２の（イ）に示す通常姿勢と、各前面板４１が上方に向けて被操作ロッド４３回りにそれぞれ反対方向に所定角度（本実施形態では略９０°）回転して各円弧板４２が遊技球を入賞口２３ａへ誘導する誘導姿勢との間で姿勢変更し得るようになっている。
【００３５】
前記ソレノイド部材５０は、本実施形態においては、従来採用されているものと同一のものが採用され、これによって部品コストの低減化を図るようにしている。かかるソレノイド部材５０は、筒体の周面にコイルが形成されたソレノイド本体５１と、このソレノイド本体５１の前端面から前方に向けて進退可能に突設された磁性体ロッド５２と、この磁性体ロッド５２に遊嵌されて当該磁性体ロッド５２を突出方向に付勢するコイルスプリング５３とを備えて構成されている。ソレノイド本体５１は、二股状のヨーク部材５４に内装されている。ヨーク部材５４にはカバー体５５が被せられ、ネジ止めでヨーク部材５４に固定されている。
【００３６】
前記磁性体ロッド５２は、棒状のロッド本体５２ａと、このロッド本体５２ａの先端部に同心で固定された当該ロッド本体５２ａより大径の操作円板５２ｂとからなっている。前記コイルスプリング５３は、操作円板５２ｂおよびソレノイド本体５１間のロッド本体５２ａに圧縮状態で遊嵌され、磁性体ロッド５２はこのコイルスプリング５３の付勢力でソレノイド本体５１から突出方向へ付勢されている。
【００３７】
前記カバー体５５は、逆Ｕ字形状のカバー本体５５ａと、このカバー本体５５ａの各側板の前方縁部から互いに反対方向に折り曲げられて形成した一対のブラケット片５５ｂとからなっている。各ブラケット片５５ｂの上部には、前記ソレノイド支持壁体２４の円柱部２４ａの装着孔２４ｅに対応した貫通孔５５ｃがそれぞれ穿設されているとともに、同下部には、前記ソレノイド支持壁体２４の裾部２４ｂの後端縁面に突設された爪片２４ｄに対応した嵌挿孔５５ｄがそれぞれ穿設され、装着ネジ５６を、貫通孔５５ｃを介して装着孔２４ｅに螺着・締結するとともに、嵌挿孔５５ｄを爪片２４ｄに外嵌することによってソレノイド部材５０がベース部材２０に装着されるようにしている。
【００３８】
前記リンク部材６０は、磁性体ロッド５２のソレノイド本体５１に対する進退で被操作ロッド４３の被操作部４３ａを操作するものであり、逆Ｌ字形状を呈した幅方向一対のリンク板６１と、各リンク板６１間に架橋された２本のリンクロッド６２と、各リンク板６１から外方に向かってそれぞれ突設された一対のリンク軸６３と、各リンク板６１の前端部にそれぞれ形成されたリンク溝形成体６４とを備えて構成されている。
【００３９】
前記リンク板６１は、上下方向に延びる縦板６１ａと、この縦板６１ａと直交した状態で前方に向かって延びる横板６１ｂとからなっている。また、前記リンクロッド６２は、各縦板６１ａの下端部間に互いに平行に架設されているとともに、前記リンク軸６３は、縦板６１ａと横板６１ｂとの交差部分の外側隅部に設けられている。そして、各リンク軸６３をソレノイド支持壁体２４の各装着孔２４ｅにそれぞれ嵌挿することによって、リンク部材６０は、一対のソレノイド支持壁体２４間でリンク軸６３回りに正逆回転し、可動片４０を通常姿勢に姿勢設定する下向き姿勢と、可動片４０を誘導姿勢に姿勢設定する上向き姿勢との間で姿勢変更し得るようになっている。
【００４０】
前記リンク溝形成体６４は、可動片４０から後方に向けて突設された被操作ロッド４３の被操作部４３ａに連結して当該被操作部４３ａを操作するためのものであり、リンク板６１より肉厚に厚み設定された三日月状を呈する肉厚部６４ａと、この肉厚部６４ａの前方位置に形成された幅方向に延びるリンク溝６４ｂとからなっている。
【００４１】
前記各リンク溝６４ｂは、溝幅寸法が被操作ロッド４３の径寸法より若干大きめに寸法設定され、これによってリンク部材６０がベース部材２０の一対のソレノイド支持壁体２４間に装着された状態で各被操作ロッド４３の被操作部４３ａにそれぞれ遊嵌され得るようになっている。そして、リンク溝６４ｂが設けられた肉厚部６４ａは、可動片４０が被操作ロッド４３回りに回転して通常姿勢と誘導姿勢との間で姿勢変更しても、被操作ロッド４３の被操作部４３ａがリンク溝６４ｂから外れないように厚み寸法が設定されている。
【００４２】
そして、前記側方入球規制部材３０は、その架設片３２が一対の被操作ロッド４３の各被操作部４３ａ上に載置されるように寸法設定されている。したがって、リンク部材６０が下向き姿勢に姿勢設定されることにより可動片４０がリンク溝６４ｂを介して誘導姿勢に姿勢設定された状態（すなわち被操作ロッド４３の被操作部４３ａが下方位置に位置した状態）で、側方入球規制部材３０は自重によって降下して球受け器２３に当接する一方、リンク部材６０が上向き姿勢に姿勢設定されることにより可動片４０がリンク溝６４ｂを介して通常姿勢に姿勢設定された状態（すなわち被操作ロッド４３の被操作部４３ａが上方位置に位置した状態）で、側方入球規制部材３０は被操作部４３ａによって上方に押し上げられられることになる。
【００４３】
このようにリンク部材６０の動作を側方入球規制部材３０に直接伝達して当該側方入球規制部材３０を昇降させるようにしているため、側方入球規制部材３０の昇降用として別途構成されたリンク機構を介在させる必要がなくなり、その分部品コストの低減化に貢献することができる。
【００４４】
図５は、第１実施形態の可変入賞装置１０の作用を説明するための説明図であり、（イ）は、可動片４０が通常姿勢に姿勢設定された状態、（ロ）は、可動片４０が通常姿勢から誘導姿勢に姿勢変更しつつある状態、（ハ）は、可動片４０が誘導姿勢に姿勢設定された状態をそれぞれ示している。なお、図５において、添え字の▲１▼は正面図を示し、同▲２▼は側面視の断面図（図２の（イ）のＡ−Ａ線断面図）を示している。
【００４５】
まず、図５の（イ）は、ソレノイド本体５１への電力供給が遮断された状態であり、この状態では磁性体ロッド５２がコイルスプリング５３の付勢力によりソレノイド本体５１から前方に向けて突出している。したがって、前方側（図５の▲２▼における左側）のリンクロッド６２が磁性体ロッド５２の操作円板５２ｂにより前方へ押されてリンク板６１が上向き姿勢に姿勢設定された状態になっている。そして、リンク板６１が上向き姿勢に姿勢設定されていることにより、そのリンク溝６４ｂが遊嵌されている被操作ロッド４３の被操作部４３ａが上方に位置し、これによって一対の可動片４０は、図５の（イ）−▲１▼に示すように、互いの直線縁部が微小隙間を介して互いに対向し昆虫の鞘翅が畳まれたような通常姿勢に姿勢設定された状態になっている。
【００４６】
また、この状態では、架設片３２が一対の被操作ロッド４３の各被操作部４３ａに載置されている側方入球規制部材３０は、被操作部４３ａが上方に位置していることにより上方へ押し上げられ、これによって規制片本体３１が球受け器２３から上方に離間して可動片４０が規制片本体３１と干渉しないようになっている。したがって、遊技球は、可動片４０による利益を享受することなく通常の状態で規制片本体３１の通過孔３１ａを介して入賞口２３ａへ入球することになる。
【００４７】
また、可動片４０が通常姿勢に姿勢設定された状態では、各可動片４０が被操作ロッド４３から下方に垂下した状態になっているため、遊技面における遊技球の流れに悪影響を及ぼすことはない。
【００４８】
ついで、遊技上の所定の条件が成立すると（例えば遊技面の適所に設けられた変動可能な二桁の数字を有するいわゆるミニデジタルにおいて各数字が同一となって揃うと）、所定の電力がソレノイド本体５１に供給され、これによって磁性体ロッド５２がコイルスプリング５３の付勢力に抗してソレノイド本体５１内へ引き込まれる。
【００４９】
そうすると、後方側（図５の▲２▼における右側）のリンクロッド６２が磁性体ロッド５２の操作円板５２ｂにより後方へ引かれてリンク板６１がリンク軸６３回りに時計方向に回転して先端が下降するため、各可動片４０は、リンク板６１のリンク溝６４ｂおよび被操作ロッド４３の被操作部４３ａを介して被操作ロッド４３回りに互いに反対方向に向けて順次回転し、かかる一対の可動片４０の動きによって、図５の（ロ）−▲１▼に示すように、昆虫があたかも鞘翅を広げつつあるような状態が現出される。またこのとき、被操作部４３ａの下降に伴って架設片３２が各被操作部４３ａに載置されている側方入球規制部材３０も自重で順次下降することになる。
【００５０】
このような可動片４０の姿勢変更過程において、遊技球が可動片４０に当って跳ね返り、この跳ね返った遊技球が入賞口２３ａに入球することがあり、これによって遊技者に幸運感を与えることができる。
【００５１】
ついでリンク板６１が下向き姿勢に姿勢設定されることにより、リンク板６１が下向き姿勢に姿勢設定されるため、そのリンク溝６４ｂの遊嵌されている被操作ロッド４３の被操作部４３ａが下方に位置し、これによって一対の可動片４０は、図５の（ハ）−▲１▼に示すように、昆虫が鞘翅を広げたような状態の誘導姿勢に姿勢設定される。このとき規制片本体３１は、球受け器２３の上面に当接した状態になる。
【００５２】
そして、可動片４０が誘導姿勢に姿勢設定された状態では、遊技球は、可動片４０の円弧板４２に捕捉されたものがその傾斜で誘導され、規制片本体３１の通過孔３１ａを介して球受け器２３の入賞口２３ａに容易に入球するため、遊技者は可動片４０が誘導姿勢に姿勢設定されている間、その利益を享受することができる。また、可動片４０が誘導姿勢に姿勢設定された状態で、たとえ遊技球が可動片４０の円弧板４２に当っても、当った位置が当該円弧板４２の外側に向かった先下がりの傾斜面である場合には、遊技球は入賞口２３ａに向かうことなく円弧板４２から外側に放出されるため、遊技球の挙動が従来の可変入賞装置では起り得ないものになり、これによってもパチンコ遊技が興趣に富んだものになる。
【００５３】
なお、曲率半径を適切に設定するなど円弧板４２の寸法設定を適切に行うことにより、可動片４０が誘導姿勢に姿勢設定された状態での遊技球を捕捉する割合を変更することができる。
【００５４】
図６は、本発明に係る可変入賞装置の第２実施形態を示す分解斜視図であり、図７はその組立て斜視図であって、（イ）は可動片が通常姿勢に姿勢設定された状態、（ロ）は可動片が誘導姿勢に姿勢設定された状態をそれぞれ示している。
【００５５】
第２実施形態の可変入賞装置１０ａは、可動片４０ａが牛の角状に形成されている点（すなわち、誘導姿勢に姿勢設定された状態で下が凸になるように形状設定されている点）が第１実施形態のものと相違している。可動片４０ａは、被操作ロッド４３の先端に固定される牛の角状の前面板４１ａと、各可動片４０ａが通常姿勢に姿勢設定された状態（図７の（イ））で互いに対向する方向に向けて膨出した円弧板４２ａとを備えて構成されている。その他の構成については第１実施形態のものと同様である。
【００５６】
第２実施形態の可変入賞装置１０ａによれば、可動片４０ａの前面板４１ａが牛の角状に形成されているため、各可動片４０ａがそれぞれ通常姿勢に姿勢設定された状態では、図７の（イ）に示すように、牛が頭を下げて角（前面板４１ａ）を前に突き出した戦闘態勢になっているように見える一方、各可動片４０ａがそれぞれ誘導姿勢に姿勢設定された状態では、図７の（ロ）に示すように、牛が頭を上げた平常状態に見え、かかる可動片の動きの変化で遊技面を見飽きない興味をそそるものにすることができる。
【００５７】
以上詳述したように、本発明に係る可変入賞装置１０，１０ａは、遊技球が入球することにより入賞となる入賞口２３ａを挟んで幅方向一対の可動片４０，４０ａが設けられ、各可動片４０，４０ａは、被操作ロッド４３回りの正逆回転で入賞口２３ａ近傍から下方に向けて垂れ下がる通常姿勢と、遊技球の入賞口２３ａへの入球を誘導するように幅方向に広がった誘導姿勢との間で姿勢変更可能に構成されているため、入賞口２３ａを挟んで一対で設けられた可動片４０，４０ａは、誘導姿勢に姿勢設定された状態で遊技球を受け得るように支持軸から斜め上方に向けて傾斜した逆八の字状になり、姿勢変更時の従来とは異なる特異な動作によって遊技面が華やぎ、視覚的な面白味が付加されてパチンコ遊技を楽しくすることができる。
【００５８】
また、可動片４０，４０ａは、その形状（特に円弧板４２，４２ａ）に種々の工夫が凝らされることにより、可動範囲が広いこととも相俟って遊技球との干渉で当該遊技球を予想もしない方向へ向けてはじき返すことが起るなど、遊技球の運動方向の意外性を引き出すことが可能になり、パチンコ遊技を興趣に富んだものにすることができる。
【００５９】
特に、第１実施形態のように、可動片４０の前面板４１を甲虫の鞘翅に似せて形状設定することにより、可動片４０が通常姿勢に姿勢設定された状態で前面板４１があたかも天道虫やかぶと虫等の甲虫目の昆虫が鞘翅を畳んだ状態に見える一方、誘導姿勢に姿勢設定されることにより、前面板４１が鞘翅を広げた昆虫に見え、かかる可動片４０の動きの変化で遊技面を見飽きない面白いものにすることができる。
【００６０】
また、第２実施形態のように、可動片４０ａを牛の角に似せることにより、当該可動片４０ａは、通常姿勢に姿勢設定されることにより、あたかも闘牛が頭を下げて角を前に突き出した臨戦態勢になっているように見える一方、誘導姿勢に姿勢設定されることにより、頭を上げた平常状態に見え、かかる可動片４０ａの動きの変化でも遊技面を見飽きない興味をそそるものにすることができる。
【００６１】
また、入賞口２３ａの上方位置に遊技球を通過させる通過孔３１ａを備えた側方入球規制部材３０を設け、該側方入球規制部材３０は、可動片４０，４０ａが通常姿勢に姿勢設定されることにより入賞口２３ａから上方へ向けて離間する一方、可動片４０，４０ａが誘導姿勢に姿勢設定されることにより入賞口２３ａへ向けて下降するよう構成されているため、可動片４０，４０ａが通常姿勢に姿勢設定されることにより、側方入球規制部材３０が入賞口２３ａから上方に向けて移動し、この側方入球規制部材３０の規制片本体３１が、通常、入賞孔の上方位置に打設される幅方向一対の干渉釘の役割を果たす一方、可動片４０，４０ａが誘導姿勢に設定された状態では、側方入球規制部材３０が下降して入賞口２３ａに接近するため、可動片４０，４０ａに補足された遊技球を、規制片本体３１を介して円滑に入賞口２３ａに導くことができる。
【００６２】
また、側方入球規制部材３０は、その後方の架設片３２が可動片４０に設けられた被操作ロッド４３の被操作部４３ａに載置された状態で当該被操作部４３ａにリンクして昇降されるようになされているため、側方入球規制部材３０の昇降構造が簡単なものになり、部品コストの低減化に貢献する。
【００６３】
図８は、第１実施形態の可変入賞装置１０が遊技板Ｂの遊技面に設けられた一例を示す正面図であり、（イ）は、可動片４０が通常姿勢に姿勢設定された状態、（ロ）は、可動片４０が誘導姿勢に姿勢設定された状態をそれぞれ示している。
【００６４】
図８に示すように、可変入賞装置１０は、遊技板Ｂに形成された遊技面Ｂ１の中央部より若干下方位置に設けられ、これによって遊技者の視線が一対の可動片４０に最も集中し易いようになっている。このような位置で、可動片４０の前面板４１は、通常姿勢に姿勢設定された状態（図８の（イ））と、誘導姿勢に姿勢設定された状態（図８の（ロ））との間であたかも天道虫が鞘翅を窄めたり、広げたりするように変化するため、遊技面Ｂ１が視覚的に非常に楽しいものになり、遊技者を飽きさせないようにすることができる。
【００６５】
また、遊技面Ｂ１には、遊技球貯留構造３０の直上位置に幅方向二対の釘Ｂ３が植設されている。左右で対向した各一対の釘Ｂ３間の距離は遊技球の直径寸法より僅かに大きく設定され、これによって１球のみが通過し得るようになっている。
【００６６】
また、可動片４０が通常姿勢（図８の（イ））に姿勢設定され、これによって側方入球規制部材３０が球受け器２３から上方へ離間した状態（上昇位置に位置設定された状態）で、当該側方入球規制部材３０の上縁部と下方の釘Ｂ３との間の距離が遊技球の直径寸法より小さくなるように釘Ｂ３の植設位置が設定されている。したがって、遊技球は、二対の釘Ｂ３間を通過しない限り入賞口２３ａ（図１）へ入球することができない。
【００６７】
これに対し、可動片４０が誘導姿勢（図８の（ロ））に姿勢設定され、これによって側方入球規制部材３０が球受け器２３に当接する下降位置に位置設定された状態では、側方入球規制部材３０と下方の釘Ｂ３との間の距離が遊技球の直径寸法より大きくなるように側方入球規制部材３０の下降距離が設定されている。したがって、可動片４０に捕捉された遊技球は、釘Ｂ３に干渉されることなく入賞口２３ａへ向かうことになる。
【００６８】
本発明は、上記の実施形態に限定されるものではなく、以下の内容をも包含するものである。
【００６９】
（１）上記の実施形態においては、側方入球規制部材３０の規制片本体３１が環状に形成されているが、本発明は、規制片本体３１が環状であることに限定されるものではなく、架橋片３４の両端部から干渉釘を前方に向けてそれぞれ突設してもよい。
【００７０】
（２）上記の第１実施形態においては、可動片４０はその前面板４１が甲虫の鞘翅状に形成され、また、第２実施形態においては、可動片４０ａはその前面板４１ａが牛の角状に形成されているが、本発明は、前面板４１，４１ａが甲虫の鞘翅状や牛の角上であることに限定されるものではなく、一対の可動片が左右に開くものではなくて下から上に向かって開くように構成されたものである限り、前面板を各種の形状に設定することができる。
【００７１】
（３）上記の実施形態においては、誘導板として正面視で円弧形状を呈した円弧板４２，４２ａが採用されているが、本発明は、誘導板が円弧形状を呈したものであることに限定されるものではなく、正面視で直線状を呈した平板からなる通常の板体を採用してもよい。
【００７２】
（４）上記の第１実施形態においては、可動片４０に形成される誘導部として、誘導姿勢に姿勢設定された状態で上に凸の円弧板４２が採用されているが、本発明は、誘導部が上に凸の円弧板４２であることに限定されるものではなく、例えば中央部が曲折された曲折板など、可動片４０が誘導姿勢に姿勢設定された状態で分水嶺が形成されるようなものであればよい。
【００７３】
（５）上記の第２実施形態においては、可動片４０ａに形成される誘導部として、誘導姿勢に姿勢設定された状態で上に凹の円弧板４２ａが採用されているが、本発明は、誘導部が上に凹の円弧板４２ａであることに限定されるものではなく、例えば入賞口２３ａに向けて全体的に先下がりに傾斜した傾斜板など、可動片４０が誘導姿勢に姿勢設定された状態で捕捉された遊技球を全て入賞口２３ａへ導くようなものであればよい。
【００７４】
（６）上記の実施形態においては、可動片４０，４０ａが通常姿勢に姿勢設定された状態でも入賞口２３ａの上方が開放され、遊技球の入球が可能となっているが、本発明は、可動片４０，４０ａが通常姿勢に姿勢設定された状態で入賞口２３ａが閉止されないことに限定されるものではなく、通常姿勢に姿勢設定されることによって入賞口２３ａが閉止されるようにしてもよい。こうすることによって、可変入賞装置を遊技上の所定の条件が成立したときにのみ入賞口として機能するものとすることができる。したがって、本発明には、可動片が通常姿勢に姿勢設定された状態で入賞口２３ａが閉止されるという事項が含まれる。
【００７５】
（７）上記の実施形態においては、球受け器２３の上方に昇降可能な側方入球規制部材３０を設けているが、本発明は、球受け器２３の上方に側方入球規制部材３０を設けることに限定されるものではなく、図９に示すように、特に側方入球規制部材３０を設けなくてもよい。
【００７６】
図９は、第１実施形態の前面板４１が採用された可変入賞装置１０ｂにおいてベース部材２０に側方入球規制部材３０を設けなかった実施形態を示す斜視図であり、（イ）は可動片４０ｂが通常姿勢に姿勢設定された状態、（ロ）は可動片４０ｂが誘導姿勢に姿勢設定された状態をそれぞれ示している。側方入球規制部材３０を設けない場合には、図９に示すように、ベース部材２０の上方位置に入賞口２３ａに対向するように左右二対の釘状突起物Ｂ２が設けられている。
【００７７】
そして、かかる釘状突起物Ｂ２の下部のものは、図９の（イ）に示すように、可動片４０ｂが通常姿勢に姿勢設定された状態で下部の釘状突起物Ｂ２と円弧板４２の上縁部との間の隙間寸法が遊技球の通過を阻止し得る位置に打設される一方、可動片４０ｂの被操作ロッド４３に対する軸支位置は、可動片４０ｂを基準として先の実施形態における軸支位置より若干下方位置とされ（すなわち、被操作ロッド４３の設置位置は先の実施形態における設置位置と同様であるが、可動片４０ｂが通常姿勢に姿勢設定された状態で円弧板４２の上縁部が先の実施形態の場合より上方に位置するように被操作ロッド４３に対する軸支位置が設定され）、これによって可動片４０ｂが誘導姿勢に姿勢設定された状態で、図９の（ロ）に示すように、下部の釘状突起物Ｂ２と円弧板４２との間に遊技球が通過し得る隙間が形成されるようになされている。
【００７８】
かかる可変入賞装置１０ｂによれば、昇降構造を備えた側方入球規制部材３０を採用しなくてもよくなるため、その分可変入賞装置が簡単な構成になり、可動片４０ｂの独特の動きの面白さを確保した上で、部品コストの低減化に貢献することができる。
【００７９】
なお、図９に示す例では、釘状突起物Ｂ２がベース部材２０のベース板２１に設けられているが、こうする代わりに釘状突起物Ｂ２をベース板２１の直上の遊技面Ｂ１（図８）上に植設してもよい。
【００８０】
【発明の効果】
請求項１記載の発明によれば、入賞口を挟んで設けられる幅方向一対の可動片は、一対の回転中心回りにそれぞれ正逆回転して通常姿勢と誘導姿勢との間で姿勢変更可能に構成されるとともに、通常姿勢に姿勢設定された状態で先端部が回転中心より下位に位置するように回転範囲が設定されているため、入賞口を挟んで一対で設けられた可動片は、通常姿勢に姿勢設定された状態で回転中心から下方に向けて延びた状態になる一方、誘導姿勢に姿勢設定された状態で遊技球を受け得るように支持軸から斜め上方に向けて傾斜した逆八の字状になり、姿勢変更時の従来とは異なる特異な動作によって遊技面が華やぎ、かかる視覚的な面白味の付加によってパチンコ遊技を視覚的に楽しいものにすることができる。
【００８１】
また、可動片は、その形状に種々の工夫が凝らされることにより、可動範囲が広いこととも相俟って遊技球との干渉で当該遊技球を予想もしない方向へ向けてはじき返すことが起るなど、遊技球の運動方向の意外性を引き出すことが可能になり、パチンコ遊技そのものをさらに興趣に富んだものとすることができる。
【００８２】
請求項２記載の発明によれば、可動片は、通常姿勢に姿勢設定されることにより正面視で入賞口を覆うように形状設定されているため、各可動片が通常姿勢に姿勢設定されているときには、入賞口近辺が一対の可動片によって覆われた状態になる一方、各可動片が誘導姿勢に姿勢設定されたときには、一対の可動片が互いに逆方向に回転し天道虫などの甲虫が鞘翅を広げたような状態になって入賞口近辺が露出されるなど、可動片の派手な動きで入賞口近辺の景色が大幅に変化し、この入賞口近辺の見た目の大幅な変化が遊技者に強烈な印象を与え、これによって遊技者を楽しませることができるとともに、飽きさせないようにすることができる。
【００８３】
請求項３記載の発明によれば、可動片は、遊技球を入賞口に誘導する誘導部として、、誘導姿勢に姿勢設定された状態で頂部より入賞口側に捕捉された遊技球を入賞口へ誘導し得るように略中央位置が上に凸に形成されているため、可動片が誘導姿勢に姿勢設定された状態でその誘導部の頂部より入賞口側に捕捉された遊技球は、入賞口へ向けて誘導され、これによって入賞口への入球確率を大きくするという可変入賞装置本来の機能を果たすことができる一方、誘導部の頂部より入賞口の反対側に捕捉された遊技球は、入賞口に到達することなく遊技面に戻されることになり、従来見られない遊技球の動きで遊技を極めて興趣に富んだものとすることができる。
【００８５】
請求項４記載の発明によれば、可動片が通常姿勢に姿勢設定されることにより、側方入球規制部材は入賞口から上方に向けて移動し、これによって遊技球は側方入球規制部材を介してでないと入賞口へ入球しないようになるため、側方からの遊技球の入賞口への入球が規制され、当該入賞口が他の入賞口と同様の構成となる一方、可動片が誘導姿勢に設定された状態では、側方入球規制部材が下降して入賞口に当接するため、可動片に補足された遊技球を、側方入球規制部材が邪魔にならない状態で当該側方入球規制部材を介して入賞口へ導くことができ、可変入賞装置の機能を確実に果たすことができる。
【図面の簡単な説明】
【図１】本発明に係る可変入賞装置の第１実施形態を示す分解斜視図である。
【図２】図１に示す可変入賞装置の組立て斜視図であって、（イ）は可動片が通常姿勢に姿勢設定された状態、（ロ）は可動片が誘導姿勢に姿勢設定された状態をそれぞれ示している。
【図３】図２の（イ）に示す可変入賞装置の平面図である。
【図４】図２の（イ）に示す可変入賞装置の同正面図である。
【図５】第１実施形態の可変入賞装置１０の作用を説明するための説明図であり、（イ）は、可動片４０が通常姿勢に姿勢設定された状態、（ロ）は、可動片４０が通常姿勢から誘導姿勢に姿勢変更しつつある状態、（ハ）は、可動片４０が誘導姿勢に姿勢設定された状態をそれぞれ示している。なお、図５において、添え字の▲１▼は正面図を示し、同▲２▼は側面視の断面図（図２の（イ）のＡ−Ａ線断面図）を示している。
【図６】本発明に係る可変入賞装置の第２実施形態を示す分解斜視図である。
【図７】図６に示す可変入賞装置の組立て斜視図であって、（イ）は可動片が通常姿勢に姿勢設定された状態、（ロ）は可動片が誘導姿勢に姿勢設定された状態をそれぞれ示している。
【図８】第１実施形態の可変入賞装置が遊技板の遊技面に設けられた一例を示す正面図であり、（イ）は、可動片が通常姿勢に姿勢設定された状態、（ロ）は、可動片が誘導姿勢に姿勢設定された状態をそれぞれ示している。
【図９】第１実施形態の可動片が採用された可変入賞装置においてベース部材に側方入球規制部材を設けなかった実施形態を示す斜視図であり、（イ）は可動片が通常姿勢に姿勢設定された状態、（ロ）は可動片が誘導姿勢に姿勢設定された状態をそれぞれ示している。
【符号の説明】
１０，１０ａ，１０ｂ  可変入賞装置
２０  ベース部材            ２１  ベース板
２１ａ  通過孔              ２１ｂ  嵌挿孔
２２  規制部材装着部        ２２ａ  矩形凹部
２２ｂ  仕切板              ２２ｃ  中央部ガイド孔
２２ｄ  側部ガイド孔        ２３  球受け器
２３ａ  入賞口              ２４  ソレノイド支持壁体
２４ａ  円柱部              ２４ｂ  裾部
２４ｃ  ネジ孔              ２４ｄ  爪片
２４ｅ  装着孔              ２５  ベンド部
２５ａ  詰り解消孔          ３０  側方入球規制部材
３１  規制片本体            ３１ａ  通過孔
３１ｂ  突出部              ３１ｃ  戻止め突起
３２  架設片                ３２ａ  挿通孔
３３  連結ネジ              ３４  架橋片
３４ａ  ネジ孔              ４０，４０ａ，４０ｂ  可動片
４１，４１ａ  前面板        ４２，４２ａ  円弧板（誘導板）
４２ｂ  円柱体              ４２ｃ  装着孔
４３  被操作ロッド          ４３ａ  被操作部
５０  ソレノイド部材        ５１  ソレノイド本体
５２  磁性体ロッド          ５２ａ  ロッド本体
５２ｂ  操作円板            ５３  コイルスプリング
５４  ヨーク部材            ５５  カバー体
５５ａ  カバー本体          ５５ｂ  ブラケット片
５５ｃ  貫通孔              ５５ｄ  嵌挿孔
５６  装着ネジ              ６０  リンク部材
６１  リンク板              ６１ａ  縦板
６１ｂ  横板                ６２  リンクロッド
６３  リンク軸              ６４  リンク溝形成体
６４ａ  肉厚部              ６４ｂ  リンク溝
Ｂ  遊技板                  Ｂ１  遊技面
Ｂ２  釘状突起物            Ｂ３  釘
【図１】
0004132960.tif 000002
【図２】
0004132960.tif 000003
【図３】
0004132960.tif 000004
【図４】
0004132960.tif 000005
【図５】
0004132960.tif 000006
【図６】
0004132960.tif 000007
【図７】
0004132960.tif 000008
【図８】
0004132960.tif 000009
【図９】
0004132960.tif 000010